(57)【要約】【課題】車椅子あるいは電動車椅子を利用している人が、身体的苦痛を伴なわずに容易に排便排尿することを可能にするものであり、また便器を付設することで生じる臭気の拡散を防ぐことである。【解決手段】排便排尿時に、肘掛け（３）と上肢により身体を支えながら臀部を浮かし、座席（２）を固定している座席セット装置（４）を解除することにより、座席（２）を後方にガイド（５）上を移動させ、座席（２）の下部に装着されている便器（６）を出現させ、便器の便座（７）に座って排便排尿する。排便排尿後は座席（２）を、座席リセット装置（８）により元の位置へ戻し、座席セット装置（４）を施錠することにより座席（２）を固定する。【選択図】      図１
2007111155.tif 000002
【特許請求の範囲】
【請求項１】
車椅子あるいは電動車椅子において、座席の下部に便器を備えること、当該座席は便器の蓋を兼用する機能を備えること、当該座席の側面に肘掛けを備えること、当該座席を便器使用時に後方へ移動させる手段を備えること、当該座席を便器利用後に元の位置へ移動させる手段を備えることを特徴とするトイレ機能付き車椅子。
【発明の詳細な説明】
【技術分野】
【０００１】
本発明は、下肢障害者あるいは高齢者の人たちが、移動手段として一般的に利用する車椅子あるいは電動車椅子に関するものである。
【背景技術】
【０００２】
車椅子あるいは電動車椅子を利用する下肢障害者または高齢者の人たちの排便排尿には、介助者の労務に多大な精神的・肉体的疲労感が伴い、電動車椅子を利用する人たちもまた精神的・肉体的疲労のため不安を感じ、障害者の社会経済活動が年々活発になり、下肢障害者または高齢者の人たちも自由に気軽に外出し、ショッピングやスポーツを楽しむ時代となってきているにもかかわらず、困難に直面する機会が多い。そのような時、いつでも、どこでも、直ちに利用(ユビキタス社会)に適合する未来志向型のトイレ機能付き車椅子が期待されている。
【０００３】
本発明は、今までの電動車椅子を利用する下肢障害者または高齢者の人たちの不安感を払拭することの出来る、自立支援型の電動車椅子を利用することによって排便排尿を行うことのできる、人間の尊厳を重要視した新しいコンセプトによる生活支援福祉機器を提供するものである。さらに、少子化の中での一人暮らしは、高齢化社会においてますます深刻化する問題であり、一人での自立した生活が望まれる。その意味からも、このような生活支援福祉機器の需要はますます高まるものと推察され、その効果は非常に大きいものと考えられる。
【０００４】
便器を装着し、排便排尿を可能にしている車椅子もしくは電動車椅子は従来より利用されているが、便座を座席として使用しており、座席に排便排尿のための穴もしくは切り込みが開いているもので、便座兼用座席になっており、便座の蓋がない車椅子もしくは電動車椅子が殆んどで、平常時も便座に座りながら利用することとなり、座り心地が悪く、臭気の拡散等の不安もある。このような車椅子もしくは電動車椅子とは、便器付車椅子もしくは電動車椅子であったとしても、本発明とは考え方を異にするものである。
【０００５】
【特許文献１】特開２００４−３２１６３０号公報
【特許文献２】特開２００４−１６０１３７号公報
【発明の開示】
【発明が解決しようとする課題】
【０００６】
本発明が解決しようとする課題は、車椅子もしくは電動車椅子の利用者が身体的苦痛を伴なわずに容易に排便排尿することを可能にするものである。また他の課題は車椅子もしくは電動車椅子に便器を付設することで生じる臭気の拡散を防ぐことである。
【課題を解決するための手段】
【０００７】
本発明による課題の解決手段は、車椅子もしくは電動車椅子の座席の直下に便器を設置し、しかも座席を便器の蓋として併用することにある。まず、利用者の身体的苦痛を伴なわないためには、排便排尿時のために移動することを避ける。次に、臭気の拡散を防ぐためには便器に蓋を設ける必要があるが、排便排尿時には座席だけでなく蓋を移動する必要がある。座席を便器の蓋として併用することで、この防臭用の蓋を移動あるいは開閉する動作を省くことができる。ここで残る課題は、排便排尿時における座席の移動である。
【０００８】
図４にて示す従来の便座の蓋は、使用時に回転方向に回して開閉する。その際に便座の蓋の移動スペースが大きく必要とされ、便器を利用する人は上肢等により身体を支えながら、肉体的に苦痛を伴う長時間のほぼ直立位の姿勢を強いられることとなる。本発明によるさらなる課題の解決手段は、便器には設置されていないが車椅子もしくは電動車椅子に必ず設置されている肘掛けに着眼するものである。利用者は、この肘掛けを用いて容易に臀部を浮かせることができる。そして臀部を軽く浮かせた状態において、座席を後方へ移動させることが本発明の解決の手段である。
【０００９】
以上のように本発明による課題の解決手段は、車椅子座席の直下に便器を設置する手段、座席を便器の蓋として併用する手段、臀部を浮かせるための肘掛け手段、座席を後方へ移動する手段から成るものである。
【発明の効果】
【００１０】
車椅子もしくは電動車椅子の利用者が、介助者の手を借りることもなく、尊厳を保ちながら、排便排尿を自在に実施することができる。このように何時でも何処ででも排便排尿時が可能となることで、車椅子もしくは電動車椅子の利用者の個人活動における精神的ならびに肉体的な開放がなされることとなる。
【００１１】
図４にて示す従来の回転方向に回して開閉する便器の蓋では、便座の蓋の移動スペースが大きく必要とされ、電動車椅子を利用する下肢障害者または高齢者の人たちは、座席から臀部を持ち上げ、図４のように、ほぼ直立状態に近い状態まで立ち上がらなければならなく、その間、上肢等により身体を支えながら、肉体的に苦痛を伴う時間が長時間強いられることとなる。本発明では、僅かに臀部を持ち上げるだけで、座席を後方に移動させ、便器の便座を利用できるようにする。電動車椅子を利用する下肢障害者または高齢者の人たちにとっては、上肢等により身体を支えながら、肉体的に苦痛を伴う長時間の立位の姿勢を強いられることから開放される結果となり、その効果は計り知れないものがある。
【実施例１】
【００１２】
本発明の一実施例を図１にその細部を図２に示す。車椅子もしくは電動車椅子が肘掛けを備え、その座席直下部に、上部を便座に加工された便器を装着する。下肢障害者または高齢者等の利用者は、平常時は車椅子として利用し、排便排尿時は肘掛けを利用して上肢で身体を支えながら臀部を浮かす。その状態で、座席セット装置の施錠を手で解除する。座席は傾斜を持ったガイド上を重力で滑り落ちることにより後方へ移動する。その結果、座席の下部に装着されている便器の便座が現れる。利用者は、臀部を落とし便座に座り直し排便排尿する。ここで、図２に座席を後方に移動させるガイド構造を示す。排便排尿後は座席を、図３で示す座席リセット装置でワイヤーを手で巻き取ることで、平常時の状態に戻し、座席セット装置を手で施錠する。この座席リセット装置は、スプリングを用いる方法でも良い。
【図面の簡単な説明】
【００１３】
【図１】本発明の実施方法を電動車椅子で示した説明図である。
【図２】座席を移動する機構を示した図である。
【図３】座席を移動する他の機構を示した図である。
【図４】従来技術による便座蓋の開閉を示す説明図である。
【符号の説明】
【００１４】
（１）  電動車椅子
（２）  座席
（３）  肘掛け
（４）  座席セット装置
（５）  ガイド
（６）  便器
（７）  便座
（８）  座席リセット装置
【図１】
2007111155.tif 000003
【図２】
2007111155.tif 000004
【図３】
2007111155.tif 000005
【図４】
2007111155.tif 000006